(57)【要約】【課題】迅速な泡つぶれを有する洗浄組成物を提供する。【解決手段】水性洗浄組成物であって、界面活性剤と、水と不混和性であり、１０ＭＰａ0.5≦δD≦２２ＭＰａ0.5、０≦δP≦１４ＭＰａ0.5、及び０≦δH≦１４ＭＰａ0.5のハンセン溶解度パラメータを有する第１の化合物と、水と混和性であり、１０ＭＰａ0.5≦δD≦２２ＭＰａ0.5、０≦δP≦１０ＭＰａ0.5、及び０≦δH≦１４ＭＰａ0.5のハンセン溶解度パラメータを有する第２の化合物と、を含み、界面活性剤、第１の化合物、及び第２の化合物がそれぞれ独立して、洗浄組成物の総重量に基づいて、０．０１〜３０重量パーセントの量で含まれる、水性洗浄組成物。【選択図】なし【特許請求の範囲】
【請求項１】
水性洗浄組成物であって、
界面活性剤と、
水と不混和性であり、
１０ＭＰａ0.5≦δD≦２２ＭＰａ0.5、０≦δP≦１４ＭＰａ0.5、及び０≦δH≦１４ＭＰａ0.5のハンセン溶解度パラメータを有する第１の化合物と、
水と混和性であり、１０ＭＰａ0.5≦δD≦２２ＭＰａ0.5、０≦δP≦１０ＭＰａ0.5、及び０≦δH≦１４ＭＰａ0.5のハンセン溶解度パラメータを有する第２の化合物と、を含み、
前記界面活性剤、前記第１の化合物、及び前記第２の化合物がそれぞれ独立して、前記洗浄組成物の総重量に基づいて、０．０１〜３０重量パーセントの量で含まれる、前記水性洗浄組成物。
【請求項２】
前記界面活性剤が、置換もしくは非置換Ｃ６〜Ｃ２２脂肪族アルコールの非イオン性Ｃ２〜Ｃ４アルキレンオキシド縮合物、置換もしくは非置換Ｃ６〜Ｃ１２アルキルフェノールのＣ２〜Ｃ４アルキレンオキシド縮合物、アルキルサッカライド、アミンオキシド、アルキルジフェニルオキシドジスルホネート、またはそれらの組み合わせである、請求項１に記載の前記洗浄組成物。
【請求項３】
前記界面活性剤が、非置換Ｃ６〜Ｃ２２脂肪族アルコールのＣ２〜Ｃ４アルキレンオキシド縮合物であり、前記脂肪族アルコール１モル当たり２〜９モルのアルキレンオキシド基を含む、請求項１または２に記載の前記洗浄組成物。
【請求項４】
前記アルキレンオキシドが、エチレンオキシド、プロピレンオキシド、またはそれらの組み合わせである、請求項１〜３のいずれかに記載の前記洗浄組成物。
【請求項５】
前記界面活性剤が、８〜１４の親水性−親油性バランスを有する、請求項１〜４のいずれかに記載の前記洗浄組成物。
【請求項６】
前記第１の化合物が、１５ＭＰａ0.5≦δD≦１７ＭＰａ0.5、０≦δP≦４ＭＰａ0.5、及び０≦δH≦５ＭＰａ0.5のハンセン溶解度パラメータを有し、
前記第２の化合物が、１４ＭＰａ0.5≦δD≦１７ＭＰａ0.5、１≦δP≦７ＭＰａ0.5、及び７≦δH≦１２ＭＰａ0.5のハンセン溶解度パラメータを有する、請求項１〜５のいずれかに記載の前記洗浄組成物。
【請求項７】
但し、前記第２の化合物が、７．１未満のδP及び１２．１未満のδHを有するものとする、請求項１〜６のいずれかに記載の前記洗浄組成物。
【請求項８】
前記第１の化合物が、置換または非置換テルペンであるか、
式１の化合物であって、
【化１】
2020128557.tif 000017
式中、Ｒ1が、置換もしくは非置換Ｃ７〜Ｃ１８アルキル基であり、Ｒ2が、置換もしくは非置換Ｃ１〜Ｃ６アルキル基である、化合物であるか、または
それらの組み合わせである、請求項１〜７のいずれかに記載の前記洗浄組成物。
【請求項９】
Ｒ2が、非置換Ｃ２〜Ｃ４アルキル基である、請求項１〜８のいずれかに記載の前記洗浄組成物。
【請求項１０】
前記第２の化合物が、
式２の化合物であって、
Ｒ3−（ＯＣnＨ2n）zＯＸ    （２）
式中、
Ｒ3が、置換もしくは非置換Ｃ１〜Ｃ１２脂肪族基、置換もしくは非置換Ｃ６〜１２アリール基、式−Ｃ（＝Ｏ）Ｃ6Ｈ5の基、または式−Ｃ（＝Ｏ）ＣＨ3の基であり、
ｎが２〜１２であり、
ｚが１〜４であり、
Ｘが、−Ｈ、−ＣＨ3、−Ｃ（＝Ｏ）ＣＨ3、または−Ｃ（＝Ｏ）Ｃ6Ｈ5である、化合物を含む、請求項１〜９のいずれかに記載の前記洗浄組成物。
【請求項１１】
前記第２の化合物が、
式２の化合物であって、
Ｒ3−（ＯＣnＨ2n）zＯＸ    （２）
式中、
Ｒ3が、置換もしくは非置換Ｃ１〜Ｃ１２脂肪族基、置換もしくは非置換Ｃ６〜Ｃ１２アリール基、式−Ｃ（＝Ｏ）Ｃ6Ｈ5の基、または式−Ｃ（＝Ｏ）ＣＨ3の基であり、
ｎが２〜４であり、
ｚが１〜４であり、
Ｘが、−Ｈ、−ＣＨ3、−Ｃ（＝Ｏ）ＣＨ3、または−Ｃ（＝Ｏ）Ｃ6Ｈ5である、化合物を含む、請求項１〜１０のいずれかに記載の前記洗浄組成物。
【請求項１２】
Ｒ3が、非置換Ｃ２〜Ｃ６アルキル基であり、ｎが２〜４であり、ｚが１〜３である、請求項１〜１１のいずれかに記載の前記洗浄組成物。
【請求項１３】
前記第１の化合物及び前記第２の化合物がそれぞれ独立して、８０〜７５０ダルトンの分子量を有する、請求項１〜１２のいずれかに記載の前記洗浄組成物。
【請求項１４】
前記界面活性剤、前記第１の化合物、及び前記第２の化合物がそれぞれ独立して、前記洗浄組成物の総重量に基づいて、０．１〜１０重量パーセントの量で含まれる、請求項１〜１３のいずれかに記載の前記洗浄組成物。
【請求項１５】
水性洗浄組成物を製造する方法であって、
界面活性剤と、
水と不混和性であり、１０ＭＰａ0.5≦δD≦２２ＭＰａ0.5、０≦δP≦１４ＭＰａ0.5、及び０≦δH≦１４ＭＰａ0.5のハンセン溶解度パラメータを有する第１の化合物と、
水と混和性であり、１０ＭＰａ0.5≦δD≦２２ＭＰａ0.5、０≦δP≦１０ＭＰａ0.5、及び０≦δH≦１４ＭＰａ0.5のハンセン溶解度パラメータを有する第２の化合物と、を組み合わせて、前記洗浄組成物を製造することを含む、前記方法。
【請求項１６】
表面を洗浄する方法であって、前記表面を、請求項１に記載の前記洗浄組成物と接触させることと、前記表面から汚れ及び前記洗浄組成物を除去することと、を含む、前記方法。
【発明の詳細な説明】
【背景技術】
【０００１】
迅速な泡つぶれを提供する、硬表面に適している洗浄組成物、及びその組成物を製造する方法が開示される。
【０００２】
消費者は、硬表面洗浄剤の泡立ちを、その洗浄剤の効率及び有効性と関連するものとして連想する。したがって、洗浄力または有効性を示すために、洗浄剤が初めに泡立つことが望ましい。泡立ちは、スプレー散布器により提供されるもの等の撹拌により増強され得る。また、洗浄剤の機能を知らせ、望ましいすすぎ特性を示すために、泡が迅速につぶれることも望ましい。したがって、望ましい泡立ち及び泡つぶれ特性を有する洗浄組成物が依然として必要である。
【発明の概要】
【０００３】
水性洗浄組成物であって、界面活性剤と、水と不混和性であり、１０ＭＰａ0.5≦δD≦２２ＭＰａ0.5、０≦δP≦１４ＭＰａ0.5、及び０≦δH≦１４ＭＰａ0.5のハンセン溶解度パラメータを有する第１の化合物と、水と混和性であり、１０ＭＰａ0.5≦δD≦２２ＭＰａ0.5、０≦δP≦１０ＭＰａ0.5、及び０≦δH≦１４ＭＰａ0.5のハンセン溶解度パラメータを有する第２の化合物と、を含み、界面活性剤、第１の化合物、及び第２の化合物がそれぞれ独立して、洗浄組成物の総重量に基づいて、０．０１〜３０重量パーセントの量で含まれる、水性洗浄組成物が開示される。
【０００４】
また、界面活性剤と、水と不混和性であり、１０ＭＰａ0.5≦δD≦２２ＭＰａ0.5、０≦δP≦１４ＭＰａ0.5、及び０≦δH≦１４ＭＰａ0.5のハンセン溶解度パラメータを有する第１の化合物と、水と混和性であり、１０ＭＰａ0.5≦δD≦２２ＭＰａ0.5、０≦δP≦１０ＭＰａ0.5、及び０≦δH≦１４ＭＰａ0.5のハンセン溶解度パラメータを有する第２の化合物と、を組み合わせて、洗浄組成物を製造することを含む、水性洗浄組成物を製造する方法も開示される。
【０００５】
また、表面を洗浄組成物と接触させることと、その表面から汚れ及び洗浄組成物を除去することと、を含む、表面を洗浄する方法も開示される。
【発明を実施するための形態】
【０００６】
改善された泡形成及びつぶれ特性を提供する、調理台及び床等の硬表面を洗浄するのに適している水性洗浄組成物が開示される。水性洗浄組成物は、界面活性剤と、水と不混和性、例えば、不溶性である第１の化合物と、水と混和性、例えば、水溶性である第２の化合物と、を含む。第１の化合物が、１０ＭＰａ0.5≦δD≦２２ＭＰａ0.5、０≦δP≦１４ＭＰａ0.5、及び０≦δH≦１４ＭＰａ0.5のハンセン溶解度パラメータを有し、第２の化合物が、１０ＭＰａ0.5≦δD≦２２ＭＰａ0.5、０≦δP≦１０ＭＰａ0.5、及び０≦δH≦１４ＭＰａ0.5のハンセン溶解度パラメータを有する組成物は、予想外に改善された泡形成及びつぶれ特性を提供することが発見された。
【０００７】
また、界面活性剤がＣ６〜Ｃ２２脂肪族アルコールの非イオン性Ｃ２〜Ｃ４アルキレンオキシド縮合物である場合、さらに改善された泡形成及びつぶれ特性が提供される。水性洗浄組成物は、エマルションの形態であってもよい。理論により拘束されることを望むものではないが、洗浄組成物が分注されるときにマイクロエマルションが泡を生成または形成し、水と不混和性である第１の化合物が、泡形成中に界面活性剤ミセルの表面に移動して望ましい泡つぶれ特性をもたらすため、改善された泡形成及びつぶれ特性が生じると考えられる。界面活性剤、第１の化合物、及び第２の化合物はそれぞれ独立して、洗浄組成物の総重量に基づいて、０．０１〜３０重量パーセント、具体的には０．１〜２０重量パーセント、より具体的には０．２〜１０重量パーセントの量で含まれる。
【０００８】
界面活性剤は、非イオン性界面活性剤、アニオン性界面活性剤、カチオン性界面活性剤、両性イオン性界面活性剤、またはそれらの組み合わせを含んでもよい。代表的なアニオン性界面活性剤としては、例えば、ナトリウムドデシルベンゼンスルホネート等の直鎖Ｃ８〜Ｃ１２アルキルベンゼン−スルホネート等のＣ１０〜Ｃ１６アルキルベンゼンスルホネート、Ｃ６〜Ｃ１８アルキルジフェニルオキシドジスルホネート、Ｃ１２〜Ｃ１６アルコールスルフェート、エトキシル化Ｃ１２〜Ｃ１６アルコールスルフェート、ヒドロキシアルキルスルホネート、Ｃ１２〜Ｃ１６アルケニル−もしくはＣ１２〜Ｃ１６アルキルスルフェートもしくはスルホネート、モノグリセリドスルフェート、Ｃ１２〜Ｃ１６アルキルスルホサクシネート、または脂肪酸クロリドとヒドロキシアルキルスルホネートとの酸縮合物が挙げられる。一実施形態において、アニオン性界面活性剤は、以下の式のアルキルジフェニルオキシドジスルホネート化合物であってもよく、
【０００９】
【化１】
2020128557.tif 000002
【００１０】
式中、ＲAは各出現で、独立して、Ｃ6〜Ｃ18アルキルであり、Ｍ+は、Ｈ+または一価カチオンであり、ｐ及びｑは独立して、０または１であるが、但し、ｐ及びｑのうちの少なくとも１つが１であるものとする。一実施形態において、ｐは０であり、ＲAは、Ｃ12アルキルまたはＣ16アルキルである。
【００１１】
代表的なカチオン性界面活性剤としては、例えば、Ｃ１６〜Ｃ１８ジアルキルジメチルアンモニウムクロリドまたはＣ８〜Ｃ１８アルキルジメチルベンジルアンモニウムクロリドが挙げられる。両性イオン性界面活性剤としては、例えば、３−（Ｎ，Ｎ−ジメチル−Ｎ−ヘキサデシル−アンモニオ）プロパン−１−スルホネートまたは３−（Ｎ，Ｎ−ジメチル−Ｎ−ヘキサデシルアンモニオ）−２−ヒドロキシプロパン−１−スルホネート等の脂肪族第４級アンモニウム化合物が挙げられる。両性界面活性剤としては、例えば、ベタイン、スルホベタイン、脂肪酸イミダゾールカルボキシレート、またはスルホネートが挙げられる。
【００１２】
非イオン性界面活性剤が好ましい。非イオン性界面活性剤は、例えば、モノ−もしくはポリヒドロキシ置換もしくは非置換Ｃ６〜Ｃ２２脂肪族アルコール、置換もしくは非置換Ｃ６〜Ｃ１２アルキルフェノール、脂肪酸アミド、または脂肪族アミンのＣ２〜Ｃ４アルキレンオキシド縮合物；アルキルサッカライド、アミンオキシド、スクロースモノパルミテート等の糖誘導体、グルカミン、長鎖第３級ホスフィンオキシド、ジアルキルスルホキシド、Ｃ１０〜Ｃ１８脂肪酸のモノ−もしくはジエタノールアミド等の脂肪酸、またはそれらの組み合わせを含んでもよい。
【００１３】
非イオン性アルコキシル化アルコール界面活性剤は、アルコール１モル当たり１〜７５モル、具体的には１〜５０モル、より具体的には１〜１５モル、または２〜９モルのアルキレンオキシドを有する脂肪族または芳香族アルコールのアルキレンオキシド縮合産物であってもよい。アルキレンオキシドがＣ２〜Ｃ４アルキレンオキシド、より具体的にはエチレンオキシド、及び／またはプロピレンオキシドである一実施形態が、具体的に言及される。エトキシル化及び／もしくはプロポキシル化非置換Ｃ６〜Ｃ２２脂肪族アルコールまたはエトキシル化及び／もしくはプロポキシル化非置換Ｃ６〜Ｃ１２アルキルフェノールを使用してもよい。脂肪族アルコールのアルキル鎖またはアルキルフェノールのアルキル基は、直鎖または分岐鎖、一級または二級のいずれかであり得、６〜２２個の炭素原子、具体的には８〜２０個の炭素原子を含有してもよい。６〜２０個の炭素原子を含有するアルキル基ならびにアルコール１モル当たり２〜９モルのエチレンオキシド及びプロピレンオキシドを有するアルコールの縮合産物が、具体的に言及される。界面活性剤は、８〜１４、具体的には８．５〜１３．５、より具体的には９〜１３の親水性−親油性バランスを有してもよい。２−エチルヘキサノールエチレンオキシド−プロピレンオキシドの非イオン性界面活性剤の使用が、具体的に言及される。
【００１４】
アルキルサッカライドは、Ｃ６〜Ｃ１８アルキル基、具体的にはＣ８〜Ｃ１６アルキル基、及びサッカライドまたはポリサッカライド基、例えば、グルコシドまたはポリグルコシド親水性基を含んでもよい。アルキルサッカライドは、アルキルグルコシドであってもよく、１〜１０、具体的には１．２〜５、または１．３〜３のサッカライド単位を含んでもよい。任意に、アルキルグルコシドは、疎水性部分とポリサッカライド部分を連結するアルキレンオキシド基を含んでもよい。好適なアルキレンオキシドは、エチレンオキシドである。アルキルサッカライドのアルキル基は、飽和または不飽和であっても、分岐または非分岐であってもよい。アルキル基は、最大約３個のヒドロキシ基を含有することができ、及び／またはアルキレンオキシド基は、１〜１０、または２〜５個のアルキレンオキシド部分を含有することができる。代表的なアルキルポリサッカライドは、オクチル、ノニルデシル、ウンデシルドデシル、トリデシル、テトラデシル、ペンタデシル、ヘキサデシル、ヘプタデシル、オクタデシル、ジ−、トリ−、テトラ−、ペンタ−及びヘキサグルコシド、ガラクトシド、ラクトシド、グルコース、フルクトシド、フルクトースならびに／またはガラクトースである。代表的な組み合わせは、ヤシアルキル、ジ−、トリ−、テトラ−、及びペンタグルコシド、ならびにタロウアルキルテトラ−、ペンタ−、及びヘキサグルコシドを含む。Ｃ８〜Ｃ１６、具体的にはＣ８〜Ｃ１０アルキル基を含むアルキルグルコシドまたはポリグルコシドが、具体的に言及される。
【００１５】
代表的なアミンオキシドとしては、ジメチル−ドデシルアミンオキシド、オレイルジ（２−ヒドロキシエチル）アミンオキシド、ジメチルテトラデシルアミンオキシド、ジ（２−ヒドロキシエチル）−テトラデシルアミンオキシド、ジメチルヘキサデシルアミンオキシド、ベヘナミンオキシド、コカミンオキシド、デシルテトラデシルアミンオキシド、ジヒドロキシエチルＣ１２〜Ｃ１５アルコキシプロピルアミンオキシド、ジヒドロキシエチルコカミンオキシド、ジヒドロキシエチルラウラミンオキシド、ジヒドロキシエチルステアラミンオキシド、ジヒドロキシエチルタロウアミンオキシド、水素化パームカーネルアミンオキシド、水素化タロウアミンオキシド、ヒドロキシエチルヒドロキシプロピルＣ１２〜Ｃ１５アルコキシプロピルアミンオキシド、ラウラミンオキシド、ミリスタミンオキシド、ミリスチル／セチルアミンオキシド、オレアミドプロピルアミンオキシド、オレアミンオキシド、パルミタミンオキシド、ＰＥＧ−３ラウラミンオキシド、ジメチルラウラミンオキシド、カリウムトリスホスホノメチルアミンオキシド、ステアラミンオキシド、及びタロウアミンオキシドが挙げられる。一実施形態において、アミンオキシドは、ラウラミンオキシドである。
【００１６】
代表的な市販の界面活性剤としては、ＥＣＯＳＵＲＦ（商標）ＥＨ３、ＥＣＯＳＵＲＦ（商標）ＥＨ６、ＥＣＯＳＵＲＦ（商標）ＥＨ９、ＥＣＯＳＵＲＦ（商標）ＥＨ１４、ＥＣＯＳＵＲＦ（商標）ＳＡ４、ＥＣＯＳＵＲＦ（商標）ＳＡ７、ＥＣＯＳＵＲＦ（商標）ＳＡ９、ＴＲＩＴＯＮ（商標）ＣＧ５０、ＴＲＩＴＯＮ（商標）ＣＧ−１１０、ＴＲＩＴＯＮ（商標）ＣＧ４２５、ＴＲＩＴＯＮ（商標）ＣＧ６００、ＴＲＩＴＯＮ（商標）６５０、ＴＲＩＴＯＮ（商標）ＢＧ−１０、ＴＲＩＴＯＮ（商標）ＤＦ１６、ＴＲＩＴＯＮ（商標）ＣＦ１０、ＴＲＩＴＯＮ（商標）ＬＦ２０、ＴＲＩＴＯＮ（商標）Ｘ４５、ＭＩＮＦＯＡＭ（商標）１Ｘ、ＭＩＮＦＯＡＭ（商標）２Ｘ、ＴＥＲＧＩＴＯＬ１５−Ｓ−７、及びＴＥＲＧＩＴＯＬ１５−Ｓ−９（これらのそれぞれは、ｔｈｅ  Ｄｏｗ  Ｃｈｅｍｉｃａｌ  Ｃｏｍｐａｎｙから入手可能である）、ＧＬＵＣＯＰＯＮ（商標）２１５Ｐ、ＧＬＵＣＯＰＯＮ（商標）２１５ＵＰ、ＧＬＵＣＯＰＯＮ（商標）２２５ＤＫ、ＧＬＵＣＯＰＯＮ（商標）３２５Ｎ、ＧＬＵＣＯＰＯＮ（商標）４２５Ｎ／ＨＨ、ＧＬＵＣＯＰＯＮ（商標）６２５  ＵＰ、ＧＬＵＣＯＰＯＮ（商標）６５０（これらのそれぞれは、ｔｈｅ  ＢＡＳＦ  ｃｏｍｐａｎｙから入手可能である）が挙げられる。
【００１７】
第１の化合物及び第２の化合物は、選択されたハンセン溶解度パラメータを有してもよい。３つのハンセン溶解度パラメータがある。理論により拘束されることを望むものではないが、δDは、分子間の分散力からのエネルギーを特徴付けると理解され、δPは、分子間の双極性分子間力からのエネルギーを特徴付けると理解され、δHは、分子間の水素結合からのエネルギーを特徴付けると理解される。
【００１８】
１０ＭＰａ0.5≦δD≦２２ＭＰａ0.5、０≦δP≦１４ＭＰａ0.5、及び０≦δH≦１４ＭＰａ0.5のハンセン溶解度パラメータを有する第１の化合物、及び
１０ＭＰａ0.5≦δD≦２２ＭＰａ0.5、０≦δP≦１０ＭＰａ0.5、及び０≦δH≦１４ＭＰａ0.5のハンセン溶解度パラメータを有する第２の化合物の使用が、望ましい結果を提供することが発見された。第１の化合物は、１２ＭＰａ0.5≦δD≦１８ＭＰａ0.5、０≦δP≦１２ＭＰａ0.5、及び０≦δH≦９ＭＰａ0.5、具体的には、１５ＭＰａ0.5≦δD≦１７ＭＰａ0.5、０≦δP≦４ＭＰａ0.5、及び０≦δH≦５ＭＰａ0.5のハンセン溶解度パラメータを有してもよい。
【００１９】
また、第２の化合物は、１２ＭＰａ0.5≦δD≦１８ＭＰａ0.5、１≦δP≦９ＭＰａ0.5、及び５≦δH≦１３ＭＰａ0.5、具体的には１４ＭＰａ0.5≦δD≦１７ＭＰａ0.5、１≦δP≦７ＭＰａ0.5、及び７≦δH≦１２ＭＰａ0.5のハンセン溶解度パラメータを有してもよい。
【００２０】
さらに、意外なことには、７．１より大きいδP及び１２．１より大きいδHのハンセン溶解度パラメータを有する第２の化合物の使用を避けることは、望ましい結果を提供することが発見された。したがって、一実施形態において、洗浄組成物の第２の化合物は、７．１未満のδP及び１２．１未満のδHを有する。例えば、第２の化合物として、７．２のδP及び１３．６のδHを有するプロピレングリコールメチルエーテル、または８のδP及び１３．１のδHを有するエチレングリコールプロピルエーテルを含む組成物は、性能が低くなる。
【００２１】
第１の化合物は、水と不混和性である。第１の化合物は、式１の化合物、置換または非置換テルペン、またはそれらの組み合わせであってもよい。
【００２２】
【化２】
2020128557.tif 000003
【００２３】
式１において、Ｒ1は、置換もしくは非置換Ｃ７〜Ｃ１８アルキル基、具体的にはＣ８〜Ｃ１４アルキル基であり、Ｒ2は、置換もしくは非置換Ｃ１〜Ｃ６アルキル基、具体的にはＣ２〜Ｃ４アルキル基、またはそれらの組み合わせである。テルペンは、ヘミテルペン、モノテルペン、セスキテルペン、またはそれらの組み合わせであってもよい。代表的なモノテルペンとしては、リモネン、ピネン、テルピネン、サビネン、ツジェン、ミルセン（ｍｅｒｃｅｎｅ）、オシメン（ｏｃｉｍｅｍｅ）、ネロール、またはゲラニオールが挙げられる。代表的なセスキテルペンとしては、アロマデンドレン、カリオフィレン、ロンギフォレン、バレンセン、イソバッザネン、シルフィネン、イシュワラン、イソパトククラ−３−エン、イソセスキカレン、またはそれらの組み合わせが挙げられる。テルペンｄ−リモネンが具体的に言及される。式１の化合物の例としては、オクタン酸エチル、オクタン酸ブチル、デカン酸エチル、ミリスチン酸イソプロピル、ラウリン酸エチル、またはそれらの組み合わせが挙げられる。また、メタノール及び大豆酸、例えば、大豆酸メチルのエステルのような生物学的に誘導される材料も言及される。ラウリン酸エチルが具体的に言及される。
【００２４】
上述のように、第１の化合物は、１０ＭＰａ0.5≦δD≦２２ＭＰａ0.5、０≦δP≦１４ＭＰａ0.5、及び０≦δH≦１４ＭＰａ0.5のハンセン溶解度パラメータを有する。ハンセン溶解度パラメータ、ｄ−リモネン、オクタン酸エチル、デカン酸ブチル、及びラウリン酸エチルの分子量を表１に提供する。
【００２５】
【表１】
2020128557.tif 000004
【００２６】
第２の化合物は、水と混和性であり、式２の化合物であって、
Ｒ3−（ＯＣnＨ2n）zＯＸ    （２）
式中、Ｒ3は、置換もしくは非置換Ｃ１〜Ｃ１２脂肪族基、置換もしくは非置換Ｃ６〜Ｃ１２アリール基、式−Ｃ（＝Ｏ）Ｃ6Ｈ5の基、または式−Ｃ（＝Ｏ）ＣＨ3の基であり、ｎは２〜４であり、ｚは１〜４であり、Ｘは、−Ｈ、−ＣＨ３、−Ｃ（＝Ｏ）ＣＨ３、または−Ｃ（＝Ｏ）Ｃ6Ｈ5である、化合物を含む。
【００２７】
一実施形態において、Ｒ3は、置換もしくは非置換Ｃ１〜１０脂肪族基、具体的には非置換のＣ２〜Ｃ１０アルキル基、より具体的には非置換のＣ２〜Ｃ６アルキル基である。ｎが２〜４であり、ｚが１〜３であり、Ｘが−Ｈである一実施形態が、具体的に言及される。
【００２８】
第２の化合物の代表的な例としては、トリプロピレングリコールメチルエーテル、ジプロピレングリコールｎ−ブチルエーテル、トリプロピレングリコールｎ−ブチルエーテル、ジプロピレングリコールｎ−プロピルエーテル、ジプロピレングリコールフェニルエーテル、ジプロピレングリコールメチルエーテルアセテート、プロピレングリコールｎ−プロピルエーテル、ジエチレングリコールモノブチルエーテル、ジエチレングリコールｎ−ブチルエーテル、ジエチレングリコールモノヘキシルエーテル、ジエチレングリコールヘキシルエーテル、またはそれらの組み合わせが挙げられる。第２の化合物の他の例としては、ジプロピレングリコールメチルエーテル、プロピレングリコールメチルエーテル、プロピレングリコールメチルエーテルアセテート、ジプロピレングリコールメチルエーテルアセテート、またはプロピレングリコールジアセテートが挙げられ得る。選択された水と混和性化合物のハンセン溶解度パラメータを表２に提供する。また、比較の目的のために、表２には、プロピレングリコールメチルエーテル及びエチレングリコールプロピルエーテルも含む。プロピレングリコールメチルエーテル及びエチレングリコールプロピルエーテルがそれぞれ、７．１より大きいδP及び１２．１より大きいδHを有することに留意されたい。
【００２９】
【表２】
2020128557.tif 000005
【００３０】
また、意外なことには、第１の化合物及び／または第２の化合物が比較的低い分子量、例えば、８０〜７５０ダルトン（Ｄａ）を有する組成物が特に望ましい泡つぶれ特性を提供することが見出された。第１及び第２の化合物はそれぞれ独立して、８０〜７５０ダルトン（Ｄａ）、具体的には９０〜６５０Ｄａ、より具体的には１００〜５５０Ｄａの分子量を有し得る。１００〜３００Ｄａの分子量を有する第１及び第２の化合物が、具体的に言及される。
【００３１】
界面活性剤、第１の化合物、及び第２の化合物はそれぞれ独立して、０．０１〜３０重量パーセント（重量％）の量で組成物中に含まれ得る。一実施形態において、界面活性剤、第１の化合物、及び第２の化合物はそれぞれ独立して、洗浄組成物の総重量に基づいて、０．１〜１０（重量％）、具体的には０．２〜８重量％、より具体的には０．４〜６重量％、または０．６〜４重量％の量で組成物中に含まれる。それぞれ洗浄組成物の総重量に基づいて、界面活性剤が３重量％の量で含まれ、第１の化合物が１重量％の量で含まれ、第２の化合物が３重量％の量で含まれる実施形態が、具体的に言及される。
【００３２】
水性洗浄組成物の水分含量は、１０〜９９重量％、具体的には２０〜９８重量％、より具体的には４０〜９７重量％であってもよい。
【００３３】
洗浄組成物は、さらなる成分、例えば、塩、ビルダー（ｂｕｉｌｄｅｒ）、さらなる界面活性剤、安定剤、香料、酵素、腐食防止剤、キレート、酸、溶剤、漂白剤、またはそれらの組み合わせをさらに含んでもよい。塩は、例えば、塩化ナトリウムもしくは塩化カリウム等のアルカリ金属ハロゲン化物、アンモニウム塩、硝酸塩、硫酸塩、またはそれらの組み合わせであってもよい。塩は、０〜２０重量％、具体的には０．１〜１０重量％の量で含有され得る。さらなる界面活性剤は、上にさらに開示されるように、アニオン性、両性イオン性、またはカチオン性であり得る。さらなる界面活性剤は、０〜１０重量％、具体的には０．５〜５重量％の量で含有され得る。
【００３４】
好適なビルダーとしては、例えば、トリポリホスフェートもしくはピロホスフェート等のアルカリ金属ポリホスフェート、エチレンジアミン四酢酸、ニトリロトリアセテート、アルカリ金属炭酸塩、ホウ酸塩、重炭酸塩、水酸化物、ゼオライト、またはそれらの組み合わせのような無機ビルダーが挙げられる。ビルダーには、例えば、クエン酸塩、ポリカルボン酸塩、モノカルボキシレート、アミノトリメチレンホスホン酸、ヒドロキシエタンジホスホン酸、ジエチレントリアミンペンタ（メチレンホスホン酸）、エチレンジアミンテトラエチレン−ホスホン酸、及びそれらの塩、またはオリゴマーもしくはポリマーホスホン酸塩のような水溶性有機ビルダーが含まれ得る。前述のうちの少なくとも１つを含む組み合わせを使用することができる。ビルダーの量は、洗浄組成物の総重量に基づいて、０〜５０重量％、具体的には０〜３０重量％、より具体的には０〜１５重量％であってもよい。
【００３５】
相溶化剤、可溶化剤、またはヒドロトロープとも称される代表的な安定剤には、アルコール、例えば、エタノール、ｎ−プロパノール、もしくはイソプロパノール、プロピレングリコール、グリコールエーテル、モノエタノールアミン、ジエタノールアミン、トリエタノールアミン、キシレンスルホネート、クメンスルホネート、及びトルエン−スルホネートが挙げられる。安定剤の量は、洗浄組成物の総重量に基づいて、０〜３０重量％、具体的には０．１〜２０重量％、または０．２〜１０重量％であってもよい。
【００３６】
腐食防止剤としては、例えば、ケイ酸ナトリウム、二ケイ酸ナトリウム、及びメタケイ酸ナトリウムが挙げられ、洗浄組成物の総重量に基づいて、０〜２０重量％、具体的には０〜１０重量％の量で使用されてもよい。
【００３７】
漂白剤としては、例えば、過酸化水素または塩素発生物質、次亜塩素酸ナトリウムまたはクロロイソシアヌレート等が挙げられる。漂白剤の量は、洗浄組成物の総重量に基づいて、０〜１０重量％、具体的には１〜５重量％、または２〜４重量％であってもよい。
【００３８】
好適なキレートとしては、グルコン酸ナトリウム、ジエチレントリアミン五酢酸（商品名Ｖｅｒｓｅｎｅｘ８０で入手可能）の五ナトリウム塩、グルコヘプトン酸ナトリウム、エチレンジアミン五酢酸（ＥＤＴＡ）、エチレンジアミン五酢酸の塩、ヒドロキシエチルエチレンジアミン三酢酸（ＨＥＤＴＡ）、ヒドロキシエチルエチレンジアミン三酢酸の塩、ニトリロ三酢酸（ＮＴＡ）の塩、ジエタノールグリシンナトリウム塩（ＤＥＧ）、エタノールジグリシン二ナトリウム塩（ＥＤＧ）、Ｎ，Ｎ−ビス（カルボキシラトメチル）−Ｌ−グルタミン酸四ナトリウム塩（ＧＬＤＡ）、メチルグリシン二酢酸（ＭＧＤＡ）、及びそれらの混合物が挙げられる。エチレンジアミン五酢酸の例示的な塩としては、二ナトリウム塩、四ナトリウム塩、二アンモニウム塩、及び三ナトリウム塩が挙げられる。キレートの量は、洗浄組成物の総重量に基づいて、０〜１０重量％、具体的には１〜５重量％、または２〜４重量％であってもよい。
【００３９】
酸は、有機カルボン酸またはその塩、例えば、グルコン酸、乳酸、クエン酸、グリコール酸、酢酸、プロピオン酸、コハク酸、グルタル酸、アジピン酸、ブタン二酸、イソアスコルビン酸、アスコルビン酸、またはタトリック酸（ｔａｔｒｉｃ  ａｃｉｄ）のようなＣ３〜Ｃ９有機カルボン酸であってもよい。酸の量は、洗浄組成物の総重量に基づいて、０〜１０重量％、具体的には１〜５重量％、または２〜４重量％であってもよい。
【００４０】
代表的な溶媒としては、アルコール、グリコール、グリコールエーテル、エステル、またはそれらの組み合わせが挙げられる。好適なアルコールとしては、エタノール、プロパノール、イソプロパノール（プロパン−２−オール）、２−ブトキシエタノール（ブチルグリコール）、１−デカノール、ベンジルアルコール、グリセリン、モノエタノールアミン（ＭＥＡ）、またはそれらの組み合わせが挙げられる。好適なグリコールとしては、エチレングリコール、ジエチレングリコール、トリエチレングリコール、テトラエチレングリコール、グリセリン、プロピレングリコール、ジプロピレングリコール、ヘキシレングリコール、またはそれらの組み合わせが挙げられる。溶媒の量は、洗浄組成物の総重量に基づいて、０〜５０重量％、具体的には１〜２５重量％、または２〜１０重量％であってもよい。
【００４１】
また、界面活性剤と、水と不混和性であり、１０ＭＰａ0.5≦δD≦２２ＭＰａ0.5、０≦δP≦１４ＭＰａ0.5、及び０≦δH≦１４ＭＰａ0.5のハンセン溶解度パラメータを有する第１の化合物と、水と混和性であり、１０ＭＰａ0.5≦δD≦２２ＭＰａ0.5、０≦δP≦１０ＭＰａ0.5、及び０≦δH≦１４ＭＰａ0.5のハンセン溶解度パラメータを有する第２の化合物と、を組み合わせて、洗浄組成物を製造することを含む、水性洗浄組成物を製造する方法も開示される。組み合わせは、任意の好適な割合でバッチまたは継続的な様式で行われ得る。
【００４２】
また、表面を洗浄組成物と接触させることと、その表面から汚れ及び洗浄組成物を除去することと、を含む、表面を洗浄する方法も開示される。表面を洗浄組成物と接触させることは、洗浄組成物をローラー散布器、ブラシ、またはスプレー散布器で処理することを含み得る。
【００４３】
「置換」は、化合物または基が、水素の代わりに、ヒドロキシル（−ＯＨ）、Ｃ１〜Ｃ９アルコキシ、Ｃ１〜Ｃ９ハロアルコキシ、オキソ（＝Ｏ）、ニトロ（−ＮＯ2）、シアノ（−ＣＮ）、アミノ（−ＮＨ2）、アジド（−Ｎ3）、アミジノ（−Ｃ（＝ＮＨ）ＮＨ2）、ヒドラジノ（−ＮＨＮＨ2）、ヒドラゾノ（＝Ｎ−ＮＨ2）、カルボニル（−Ｃ（＝Ｏ）−）、カルバモイル（−Ｃ（Ｏ）ＮＨ2）、スルホニル（−Ｓ（＝Ｏ）2−）、チオール（−ＳＨ）、チオシアノ（−ＳＣＮ）、トシル（ＣＨ3Ｃ6Ｈ4ＳＯ2−）、カルボン酸（−Ｃ（＝Ｏ）ＯＨ）、カルボン酸Ｃ１〜Ｃ６アルキルエステル（−Ｃ（＝Ｏ）ＯＲ、式中、ＲはＣ１〜Ｃ６アルキル基である）、Ｃ１〜Ｃ１２アルキル、Ｃ３〜Ｃ１２シクロアルキル、Ｃ２〜Ｃ１２アルケニル、Ｃ５〜Ｃ１２シクロアルケニル、Ｃ２〜Ｃ１２アルキニル、Ｃ６〜Ｃ１２アリール、またはＣ７〜Ｃ１３アリールアルキレンから独立して選択される少なくとも１個（例えば、１個、２個、３個、または４個）の置換基で置換されることを意味するが、但し、置換された原子の通常の価数を超えないものとする。
【００４４】
本明細書で使用される「脂肪族」は、飽和または非飽和の直鎖または分岐鎖炭化水素を意味する。脂肪族基は、例えば、アルキル、アルケニル、またはアルキニル基であってもよい。本明細書で使用される「アルキル」は、直鎖または分岐鎖、飽和、一価の炭化水素基（例えば、メチルまたはヘキシル）を意味する。「アルキレン」は、直鎖または分岐鎖、飽和、二価の脂肪族炭化水素基（例えば、メチレン（−ＣＨ2−）またはプロピレン（−（ＣＨ2）3−））を意味する。「アリール」は、アレーン（例えば、フェニルまたはナフチル）の１つ以上の環から１個の水素原子を除去することによって形成された一価基を意味する。
【００４５】
本明細書で使用される用語は、特定の実施形態を説明するためのものであり、限定することを意図するものではない。本明細書で使用される単数形「一つの（ａ）」、「一つの（ａｎ）」、及び「その（ｔｈｅ）」は、特にその内容が明確に示されていない限り、「少なくとも１つ」を含む複数形を包含することを意図する。「または」は、「及び／または」を意味する。本明細書で使用される「及び／または」という用語は、関連記載項目のうちの１つ以上の任意の及びすべての組み合わせを含む。「含む（ｃｏｍｐｒｉｓｅｓ）」及び／または「含んでいる（ｃｏｍｐｒｉｓｉｎｇ）」または「含む（ｉｎｃｌｕｄｅｓ）」及び／または「含んでいる（ｉｎｃｌｕｄｉｎｇ）」といった用語は、本明細書で使用されるとき、決まった特徴、領域、整数、工程、作動方法、要素、及び／または構成成分の存在を指定するが、それらの１つ以上の他の特徴、領域、工程、作動方法、要素、構成成分、及び／または基の存在または追加を排除するものではないことがさらに理解されよう。
【００４６】
要約すると、水性洗浄組成物であって、界面活性剤と、水と不混和性であり、１０ＭＰａ0.5≦δD≦２２ＭＰａ0.5、０≦δP≦１４ＭＰａ0.5、及び０≦δH≦１４ＭＰａ0.5のハンセン溶解度パラメータを有する第１の化合物と、水と混和性であり、１０ＭＰａ0.5≦δD≦２２ＭＰａ0.5、０≦δP≦１０ＭＰａ0.5、及び０≦δH≦１４ＭＰａ0.5のハンセン溶解度パラメータを有する第２の化合物と、を含み、界面活性剤、第１の化合物、及び第２の化合物がそれぞれ独立して、洗浄組成物の総重量に基づいて、０．０１〜３０重量パーセントの量で含まれる、水性洗浄組成物が開示される。様々な実施形態において、（１）界面活性剤は、置換もしくは非置換Ｃ６〜Ｃ２２脂肪族アルコールの非イオン性Ｃ２〜Ｃ４アルキレンオキシド縮合物、置換もしくは非置換Ｃ６〜Ｃ１２アルキルフェノールのＣ２〜Ｃ４アルキレンオキシド縮合物、アルキルサッカライド、アミンオキシド、またはそれらの組み合わせであってもよく、かつ／または（２）界面活性剤は、非置換Ｃ６〜Ｃ２２脂肪族アルコールのＣ２〜Ｃ４アルキレンオキシド縮合物であってもよく、脂肪族アルコール１モル当たり２〜９モルのアルキレンオキシド基を含み、かつ／または（３）アルキレンオキシド基は、エチレンオキシド基、プロピレンオキシド基、またはそれらの組み合わせであってもよく、かつ／または（４）界面活性剤は、８〜１４の親水性−親油性バランスを有してもよく、かつ／または（５）第１の化合物は、１５ＭＰａ0.5≦δD≦１７ＭＰａ0.5、０≦δP≦４ＭＰａ0.5、及び０≦δH≦５ＭＰａ0.5のハンセン溶解度パラメータを有し、第２の化合物は、１４ＭＰａ0.5≦δD≦１７ＭＰａ0.5、１≦δP≦７ＭＰａ0.5、及び７≦δH≦１２ＭＰａ0.5のハンセン溶解度パラメータを有し、かつ／または（６）第２の化合物は、７．１未満のδP及び１２．１未満のδHを有してもよく、かつ／または（７）第１の化合物は、置換または非置換テルペン、式１の化合物であって、
【００４７】
【化３】
2020128557.tif 000006
【００４８】
式中、Ｒ1は、置換または非置換Ｃ７〜Ｃ１８アルキル基であり、Ｒ2は、置換または非置換Ｃ１〜Ｃ６アルキル基である、化合物、またはそれらの組み合わせであってもよく、かつ／または（８）Ｒ2は、非置換Ｃ２〜Ｃ４アルキル基であってもよく、かつ／または（９）第２の化合物は、式２の化合物であって、
Ｒ3−（ＯＣnＨ2n）zＯＸ（２）
式中、Ｒ3は、置換もしくは非置換Ｃ１〜Ｃ１２脂肪族基、置換もしくは非置換Ｃ６〜Ｃ１２アリール基、式−Ｃ（＝Ｏ）Ｃ6Ｈ5の基、または式−Ｃ（＝Ｏ）ＣＨ3の基であり、ｎは２〜４であり、ｚは１〜４であり、Ｘは、−Ｈ、−ＣＨ3、−Ｃ（＝Ｏ）ＣＨ3、または−Ｃ（＝Ｏ）Ｃ6Ｈ5である、化合物を含んでもよく、かつ／または（１０）Ｒ3は、非置換Ｃ２〜Ｃ６アルキル基であり、ｎは２〜４であり、ｚは１〜３であってもよく、かつ／または（１１）第１の化合物及び第２の化合物はそれぞれ独立して、８０〜７５０ダルトンの分子量を有してもよく、かつ／または（１２）界面活性剤、第１の化合物、及び第２の化合物はそれぞれ独立して、洗浄組成物の総重量に基づいて、０．１〜１０重量パーセントの量で含まれてもよい。
【実施例】
【００４９】
一般手順
それぞれの実施例（Ｅ）及び比較例（Ｃ）において、洗浄剤は、初めに、水をガラス製の瓶に入れて計量し、撹拌棒を加え、次いで、５００回転毎分（ｒｐｍ）で撹拌しながら、界面活性剤を添加し、続いて、存在する場合、水と不混和性化合物及び水と混和性化合物を添加することにより、表４〜１０に提供される量（ｇ）を用いて調製された。１０分間撹拌した後、存在する場合、残りの成分を撹拌しながら添加した。
【００５０】
ＥＣＯＳＵＲＦ（商標）ＥＨ３、ＥＣＯＳＵＲＦ（商標）ＥＨ６、ＥＣＯＳＵＲＦ（商標）ＥＨ９、ＥＣＯＳＵＲＦ（商標）ＥＨ１４、ＥＣＯＳＵＲＦ（商標）ＳＡ７、及びＥＣＯＳＵＲＦ（商標）ＳＡ１５は、ｔｈｅ  Ｄｏｗ  Ｃｈｅｍｉｃａｌ  Ｃｏｍｐａｎｙから入手した。
ＴＲＩＴＯＮ（商標）ＣＧ５０、ＴＲＩＴＯＮ（商標）ＣＧ４２５、ＴＲＩＴＯＮ（商標）ＣＧ６００、ＴＲＩＴＯＮ（商標）ＣＧ６５０、ＴＲＩＴＯＮ（商標）ＤＦ１６、ＴＲＩＴＯＮ（商標）ＣＦ１０、ＴＲＩＴＯＮ（商標）ＬＦ２０、及びＴＲＩＴＯＮ（商標）Ｘ４５は、ｔｈｅ  Ｄｏｗ  Ｃｈｅｍｉｃａｌ  Ｃｏｍｐａｎｙから入手した。
Ｍｉｎｆｏａｍ（商標）１ｘ及びＭｉｎｆｏａｍ（商標）２ｘは、ｔｈｅ  Ｄｏｗ  Ｃｈｅｍｉｃａｌ  Ｃｏｍｐａｎｙから入手した。
Ｔｅｒｇｉｔｏｌ（商標）１５−Ｓ−９は、ｔｈｅ  Ｄｏｗ  Ｃｈｅｍｉｃａｌ  Ｃｏｍｐａｎｙから入手した。
ＥｃｏＳｓｅｎｓｅ（商標）３０００は、ｔｈｅ  Ｄｏｗ  Ｃｈｅｍｉｃａｌ  Ｃｏｍｐａｎｙから入手した。
Ｖｅｒｓｅｎｅｘ（商標）８０は、４０％のジエチレントリアミン五酢酸五ナトリウム水溶液であり、ｔｈｅ  Ｄｏｗ  Ｃｈｅｍｉｃａｌ  Ｃｏｍｐａｎｙから受け取った状態で使用した。
過酸化水素は、３５％の水溶液である。
ＰＥＧ／ＰＰＧ−１７／６コポリマーの製品ＵＣＯＮ（商標）７５−Ｈ−４５０は、ｔｈｅ  Ｄｏｗ  Ｃｈｅｍｉｃａｌ  Ｃｏｍｐａｎｙから入手した。
ＵＣＯＮ（商標）ＯＳＰ−３２は、ｔｈｅ  Ｄｏｗ  Ｃｈｅｍｉｃａｌ  Ｃｏｍｐａｎｙから入手した。
【００５１】
泡発生及びつぶれに関する振とう試験
撹拌した後、撹拌棒を取り出し、ガラス製の瓶に蓋をかぶせた。次いで、ガラス製の瓶を１０秒間激しく振とうした。泡立ちからつぶれまでの時間を測定して、表３に従って泡つぶれの等級を得た。
【００５２】
【表３】
2020128557.tif 000007
【００５３】
実施例Ｅ１〜Ｅ４５及び比較例Ｃ１〜Ｃ１７における組成物及び泡つぶれの等級を表４〜１０に提供する。
【００５４】
【表４】
2020128557.tif 000008
【００５５】
【表５】
2020128557.tif 000009
【００５６】
【表６】
2020128557.tif 000010
【００５７】
【表７】
2020128557.tif 000011
【００５８】
【表８】
2020128557.tif 000012
【００５９】
【表９】
2020128557.tif 000013
【００６０】
【表１０】
2020128557.tif 000014
【００６１】
硬表面洗浄分析
消費者特殊製品協会（ＣＳＰＡ）の方法ＤＣ−１７に従って光沢試験（この内容は、参照によりその全体が本明細書に組み込まれる、消費者特殊製品協会（Ｗａｓｈｉｎｇｔｏｎ  Ｄ．Ｃ）から入手可能である）を用いて硬表面洗浄の評価を行った。タイルは、ＣＳＰＡ方法ＤＣ−１７に従って、乳汁、ラード、オリーブ油、バンディ粘土、及びカーボンブラックを用いて染色した。次に、２ミリリットル（ｍＬ）の表１１及び１２に提供される製剤を、光沢機を用いて染色したタイルに塗布し、タイルの表面をスポンジで１０回拭き取り、５つの完全なサイクルを得た。洗浄したタイルを１が不良であり、１０が清浄である、１〜１０の尺度に評価した。
【００６２】
【表１１】
2020128557.tif 000015
【００６３】
【表１２】
2020128557.tif 000016
【手続補正書】
【提出日】令和2年6月4日(2020.6.4)
【手続補正１】
【補正対象書類名】明細書
【補正対象項目名】００６３
【補正方法】変更
【補正の内容】
【００６３】
【表１２】
2020128557.tif 000018
本開示は以下の態様も包含する。
［１］  水性洗浄組成物であって、
界面活性剤と、
水と不混和性であり、
１０ＭＰａ0.5≦δD≦２２ＭＰａ0.5、０≦δP≦１４ＭＰａ0.5、及び０≦δH≦１４ＭＰａ0.5のハンセン溶解度パラメータを有する第１の化合物と、
水と混和性であり、１０ＭＰａ0.5≦δD≦２２ＭＰａ0.5、０≦δP≦１０ＭＰａ0.5、及び０≦δH≦１４ＭＰａ0.5のハンセン溶解度パラメータを有する第２の化合物と、を含み、
前記界面活性剤、前記第１の化合物、及び前記第２の化合物がそれぞれ独立して、前記洗浄組成物の総重量に基づいて、０．０１〜３０重量パーセントの量で含まれる、前記水性洗浄組成物。
［２］  前記界面活性剤が、置換もしくは非置換Ｃ６〜Ｃ２２脂肪族アルコールの非イオン性Ｃ２〜Ｃ４アルキレンオキシド縮合物、置換もしくは非置換Ｃ６〜Ｃ１２アルキルフェノールのＣ２〜Ｃ４アルキレンオキシド縮合物、アルキルサッカライド、アミンオキシド、アルキルジフェニルオキシドジスルホネート、またはそれらの組み合わせである、上記態様１に記載の前記洗浄組成物。
［３］  前記界面活性剤が、非置換Ｃ６〜Ｃ２２脂肪族アルコールのＣ２〜Ｃ４アルキレンオキシド縮合物であり、前記脂肪族アルコール１モル当たり２〜９モルのアルキレンオキシド基を含む、上記態様１または２に記載の前記洗浄組成物。
［４］  前記アルキレンオキシドが、エチレンオキシド、プロピレンオキシド、またはそれらの組み合わせである、上記態様１〜３のいずれかに記載の前記洗浄組成物。
［５］  前記界面活性剤が、８〜１４の親水性−親油性バランスを有する、上記態様１〜４のいずれかに記載の前記洗浄組成物。
［６］  前記第１の化合物が、１５ＭＰａ0.5≦δD≦１７ＭＰａ0.5、０≦δP≦４ＭＰａ0.5、及び０≦δH≦５ＭＰａ0.5のハンセン溶解度パラメータを有し、
前記第２の化合物が、１４ＭＰａ0.5≦δD≦１７ＭＰａ0.5、１≦δP≦７ＭＰａ0.5、及び７≦δH≦１２ＭＰａ0.5のハンセン溶解度パラメータを有する、上記態様１〜５のいずれかに記載の前記洗浄組成物。
［７］  但し、前記第２の化合物が、７．１未満のδP及び１２．１未満のδHを有するものとする、上記態様１〜６のいずれかに記載の前記洗浄組成物。
［８］  前記第１の化合物が、置換または非置換テルペンであるか、
式１の化合物であって、
【化１】
2020128557.tif 000019
式中、Ｒ1が、置換もしくは非置換Ｃ７〜Ｃ１８アルキル基であり、Ｒ2が、置換もしくは非置換Ｃ１〜Ｃ６アルキル基である、化合物であるか、または
それらの組み合わせである、上記態様１〜７のいずれかに記載の前記洗浄組成物。
［９］  Ｒ2が、非置換Ｃ２〜Ｃ４アルキル基である、上記態様１〜８のいずれかに記載の前記洗浄組成物。
［１０］  前記第２の化合物が、
式２の化合物であって、
Ｒ3−（ＯＣnＨ2n）zＯＸ    （２）
式中、
Ｒ3が、置換もしくは非置換Ｃ１〜Ｃ１２脂肪族基、置換もしくは非置換Ｃ６〜１２アリール基、式−Ｃ（＝Ｏ）Ｃ6Ｈ5の基、または式−Ｃ（＝Ｏ）ＣＨ3の基であり、
ｎが２〜１２であり、
ｚが１〜４であり、
Ｘが、−Ｈ、−ＣＨ3、−Ｃ（＝Ｏ）ＣＨ3、または−Ｃ（＝Ｏ）Ｃ6Ｈ5である、化合物を含む、上記態様１〜９のいずれかに記載の前記洗浄組成物。
［１１］  前記第２の化合物が、
式２の化合物であって、
Ｒ3−（ＯＣnＨ2n）zＯＸ    （２）
式中、
Ｒ3が、置換もしくは非置換Ｃ１〜Ｃ１２脂肪族基、置換もしくは非置換Ｃ６〜Ｃ１２アリール基、式−Ｃ（＝Ｏ）Ｃ6Ｈ5の基、または式−Ｃ（＝Ｏ）ＣＨ3の基であり、
ｎが２〜４であり、
ｚが１〜４であり、
Ｘが、−Ｈ、−ＣＨ3、−Ｃ（＝Ｏ）ＣＨ3、または−Ｃ（＝Ｏ）Ｃ6Ｈ5である、化合物を含む、上記態様１〜１０のいずれかに記載の前記洗浄組成物。
［１２］  Ｒ3が、非置換Ｃ２〜Ｃ６アルキル基であり、ｎが２〜４であり、ｚが１〜３である、上記態様１〜１１のいずれかに記載の前記洗浄組成物。
［１３］  前記第１の化合物及び前記第２の化合物がそれぞれ独立して、８０〜７５０ダルトンの分子量を有する、上記態様１〜１２のいずれかに記載の前記洗浄組成物。
［１４］  前記界面活性剤、前記第１の化合物、及び前記第２の化合物がそれぞれ独立して、前記洗浄組成物の総重量に基づいて、０．１〜１０重量パーセントの量で含まれる、上記態様１〜１３のいずれかに記載の前記洗浄組成物。
［１５］  水性洗浄組成物を製造する方法であって、
界面活性剤と、
水と不混和性であり、１０ＭＰａ0.5≦δD≦２２ＭＰａ0.5、０≦δP≦１４ＭＰａ0.5、及び０≦δH≦１４ＭＰａ0.5のハンセン溶解度パラメータを有する第１の化合物と、
水と混和性であり、１０ＭＰａ0.5≦δD≦２２ＭＰａ0.5、０≦δP≦１０ＭＰａ0.5、及び０≦δH≦１４ＭＰａ0.5のハンセン溶解度パラメータを有する第２の化合物と、を組み合わせて、前記洗浄組成物を製造することを含む、前記方法。
［１６］  表面を洗浄する方法であって、前記表面を、上記態様１に記載の前記洗浄組成物と接触させることと、前記表面から汚れ及び前記洗浄組成物を除去することと、を含む、前記方法。
【手続補正２】
【補正対象書類名】特許請求の範囲
【補正対象項目名】全文
【補正方法】変更
【補正の内容】
【特許請求の範囲】
【請求項１】
水性泡立ち洗浄組成物であって、
２−エチルへキシル基を有するアルコールの、該アルコール１モル当たり２〜９モルのエチレンオキシド及びプロピレンオキシドの縮合産物であり、８．５〜１３．５の親水性−親油性バランスを有する非イオン性アルコキシル化界面活性剤と、
オクタン酸エチル、オクタン酸ブチル、デカン酸エチル、デカン酸ブチル、ラウリン酸エチル、またはこれらの組み合わせを含む第１の化合物と、
水と混和性であり、１４ＭＰａ0.5≦δD≦１７ＭＰａ0.5、１≦δP≦７ＭＰａ0.5、及び７≦δH≦１２ＭＰａ0.5のハンセン溶解度パラメータを有する第２の化合物と、を含み、
前記界面活性剤及び前記第２の化合物がそれぞれ独立して、前記洗浄組成物の総重量に基づいて、０．６〜４重量パーセントの量で含まれ、前記第１の化合物が、前記洗浄組成物の総重量に基づいて、０．２〜８重量パーセントの量で含まれる、前記水性泡立ち洗浄組成物。
【請求項２】
前記界面活性剤が、９〜１３の親水性−親油性バランスを有する、請求項１に記載の前記洗浄組成物。
【請求項３】
置換または非置換テルペンをさらに含む、請求項１または２に記載の前記洗浄組成物。
【請求項４】
前記第２の化合物が、
式２の化合物であって、
Ｒ3−（ＯＣnＨ2n）zＯＸ    （２）
式中、
Ｒ3が、置換もしくは非置換Ｃ１〜Ｃ１２脂肪族基、置換もしくは非置換Ｃ６〜１２アリール基、式−Ｃ（＝Ｏ）Ｃ6Ｈ5の基、または式−Ｃ（＝Ｏ）ＣＨ3の基であり、
ｎが２〜１２であり、
ｚが１〜４であり、
Ｘが、−Ｈ、−ＣＨ3、−Ｃ（＝Ｏ）ＣＨ3、または−Ｃ（＝Ｏ）Ｃ6Ｈ5である、化合物を含む、請求項１〜３のいずれかに記載の前記洗浄組成物。
【請求項５】
Ｒ3が、非置換Ｃ２〜Ｃ６アルキル基であり、ｎが２〜４であり、ｚが１〜３である、請求項４に記載の前記洗浄組成物。
【請求項６】
前記第１の化合物及び前記第２の化合物がそれぞれ独立して、８０〜７５０ダルトンの分子量を有する、請求項１〜５のいずれかに記載の前記洗浄組成物。
【請求項７】
第２の化合物のハンセン溶解度パラメータが、１４ＭＰａ0.5≦δD≦１７ＭＰａ0.5、１≦δP≦７ＭＰａ0.5、及び７≦δH＜１２ＭＰａ0.5である、請求項１〜６のいずれかに記載の前記洗浄組成物。
【請求項８】
水性洗浄組成物を製造する方法であって、
アルコール１モル当たり１〜１５モルのアルキレンオキシドを含む脂肪族または芳香族アルコールのアルキレンオキシド縮合産物である非イオン性アルコキシル化界面活性剤であって、前記アルキレンオキシドが、エチレンオキシド、プロピレンオキシド、またはそれらの組み合わせである、非イオン性アルコキシル化界面活性剤と、
オクタン酸エチル、オクタン酸ブチル、デカン酸エチル、デカン酸ブチル、ラウリン酸エチル、またはこれらの組み合わせを含む第１の化合物と、
水と混和性であり、１４ＭＰａ0.5≦δD≦１７ＭＰａ0.5、１≦δP≦７ＭＰａ0.5、及び７≦δH≦１２ＭＰａ0.5のハンセン溶解度パラメータを有する第２の化合物と、を組み合わせて、前記洗浄組成物を製造することを含み、
前記界面活性剤及び前記第２の化合物がそれぞれ独立して、前記洗浄組成物の総重量に基づいて、０．６〜４重量パーセントの量で含まれ、前記第１の化合物が、前記洗浄組成物の総重量に基づいて、０．２〜８重量パーセントの量で含まれる、前記方法。
【請求項９】
表面を洗浄する方法であって、前記表面を、請求項１に記載の前記洗浄組成物と接触させて泡を形成することと、前記表面から汚れ及び前記洗浄組成物を除去することと、を含む、前記方法。
【外国語明細書】
2020128557000001.pdf